(57)【要約】【課題】視認性の高いサムネイルを作成し、限られた範囲内で豊富な情報を表示できるファイルアイコンの表示プログラムを提供する。【解決手段】ドキュメント画像のサムネイルをファイルアイコン１０１ａとして表示するときに、ドキュメント画像から自動的にその内部に含まれるエリア（写真エリア、図形エリア、タイトルエリアなど）を抽出し、それに応じた属性アイコンＩ１〜Ｉ５を表示する。ユーザはドキュメント内に何が含まれているかを属性アイコンを見ることによって容易に理解することができる。また、属性アイコンＩ１〜Ｉ５を選択することにより、そのエリアの詳細なサムネイルが表示される。【選択図】　　　　図４
2004054839.tif 000002
【特許請求の範囲】
【請求項１】
対象ファイルから属性が異なる領域を別々に抽出する抽出ステップと、
前記抽出ステップで抽出された領域毎に、それぞれの属性に応じた属性アイコンを選択する選択ステップと、
前記対象ファイルのアイコンと共に、前記選択ステップで選択された属性アイコンを併せて表示する表示ステップとをコンピュータに実行させるための、ファイルアイコンの表示プログラム。
【請求項２】
前記表示ステップで表示される対象ファイルのアイコンは、前記対象ファイルのサムネイル画像である、請求項１に記載のファイルアイコンの表示プログラム。
【請求項３】
前記表示ステップは、表示された属性アイコンが指定された際に、その属性アイコンに対応した領域のサムネイル画像を表示する、請求項１に記載のファイルアイコンの表示プログラム。
【請求項４】
前記抽出ステップで抽出した領域毎に、その特徴量を演算する演算ステップをさらに備え、
前記表示ステップは、前記演算ステップで演算された特徴量に基づいて属性アイコンの表示順序を変更する、請求項１に記載のファイルアイコンの表示プログラム。
【請求項５】
前記対象ファイルが複数頁にわたる場合、前記表示ステップでは、前記対象ファイルのサムネイル画像をスクロール可能に表示し、サムネイル画像のスクロールに応じて現在表示されているサムネイル画像内に含まれる領域の属性アイコンを表示する、請求項２に記載のファイルアイコンの表示プログラム。
【発明の詳細な説明】
【０００１】
【発明の属する技術分野】
この発明はファイルアイコンの表示プログラムに関し、特に対象ファイルの内容をユーザにわかりやすく示すことができるファイルアイコンの表示プログラムに関する。
【０００２】
【従来の技術】
従来より、コンピュータの技術分野においてドキュメントファイルなどを管理するドキュメント管理ソフトウェアが知られている。また、ドキュメント管理ソフトウェアにおいて、ファイルの内容をわかりやすく表示するために、サムネイルとしてファイルを表示させることが行なわれている。
【０００３】
【発明が解決しようとする課題】
一般に、スキャナやＭＦＰ（Ｍｕｌｔｉ　Ｆｕｎｃｔｉｏｎ　Ｐｅｒｉｐｈｅｒａｌ）から取込んだファイルをドキュメント管理ソフトウェア上でサムネイルとして表示する際には、ファイルの縮小イメージを表示しているだけであるため、ユーザにとって非常に見にくく、またそのドキュメントに含まれる情報を把握しにくいという問題がある。
【０００４】
また、サムネイルは表示サイズが限られているため、少ない情報しか表示することができず、ユーザが求めるドキュメントを探す場合に有効な手段とならないことがある。
【０００５】
この発明は上述の問題点を解決するためになされたものであり、限られた範囲内で豊富な情報を表示することができるファイルアイコンの表示プログラムを提供することを目的としている。
【０００６】
【課題を解決するための手段】
上記目的を達成するためこの発明のある局面に従うと、ファイルアイコンの表示プログラムは、対象ファイルから属性が異なる領域を別々に抽出する抽出ステップと、抽出ステップで抽出された領域毎に、それぞれの属性に応じた属性アイコンを選択する選択ステップと、対象ファイルのアイコンと共に、選択ステップで選択された属性アイコンを併せて表示する表示ステップとをコンピュータに実行させる。
【０００７】
この発明に従うと、対象ファイルから属性が異なる領域が別々に抽出され、抽出された領域毎にそれぞれの属性に応じた属性アイコンが選択され、対象ファイルのアイコンと共に併せて表示される。これにより、限られた範囲内で豊富な情報を表示することができるファイルアイコンの表示プログラムを提供することが可能となる。
【０００８】
好ましくは、表示ステップで表示される対象ファイルのアイコンは、対象ファイルのサムネイル画像である。
【０００９】
このように対象ファイルのアイコンをそのサムネイル画像として表示することで、より豊富な情報をユーザに提供することが可能となる。
【００１０】
好ましくは表示ステップは、表示された属性アイコンが指定された際に、その属性アイコンに対応した領域のサムネイル画像を表示する。
【００１１】
このように指定された属性アイコンに対応した領域のサムネイル画像を表示することで、限られた範囲内でより豊富な情報を表示することができるファイルアイコンの表示プログラムを提供することが可能となる。
【００１２】
好ましくはファイルアイコンの表示プログラムは、抽出ステップで抽出した領域毎に、その特徴量を演算する演算ステップをさらに備え、表示ステップは、演算ステップで演算された特徴量に基づいて属性アイコンの表示順序を変更する。
【００１３】
このように抽出した領域毎にその特徴量を演算し、演算された特徴量に基づいて属性アイコンの表示順序を変更することで、限られた範囲内でより豊富な情報を表示することができるファイルアイコンの表示プログラムを提供することが可能となる。
【００１４】
好ましくは、対象ファイルが複数頁にわたる場合、表示ステップでは、対象ファイルのサムネイル画像をスクロール可能に表示し、サムネイル画像のスクロールに応じて現在表示されているサムネイル画像内に含まれる領域の属性アイコンを表示する。
【００１５】
このようにサムネイル画像のスクロールに応じて、現在表示されているサムネイル画像内に含まれる領域の属性アイコンを表示することで、限られた範囲内でより豊富な情報を表示することができるファイルアイコンの表示プログラムを提供することが可能となる。
【００１６】
【発明の実施の形態】
図１は、本発明の実施の形態の１つにおけるファイルアイコン表示装置のハードウェア構成を示すブロック図である。
【００１７】
図を参照して、ファイルアイコン表示装置は、装置全体の制御を行なうＣＰＵ６０１と、プリンタ６０３と、ディスプレイ６０５と、ネットワークに接続したり外部と通信を行なうためのＬＡＮ（Ｌｏｃａｌ　Ａｒｅａ　Ｎｅｔｗｏｒｋ）カード６０７（またはモデムカード）と、キーボードやマウスなどにより構成される入力装置６０９と、フレキシブルディスクドライブ６１１と、ＣＤ−ＲＯＭドライブ６１３と、ハードディスクドライブ６１５と、ＲＡＭ６１７と、ＲＯＭ６１９とを備えている。
【００１８】
後述するフローチャートに示される、ＣＰＵ（コンピュータ）６０１を駆動させるためのプログラムは、フレキシブルディスクＦやＣＤ−ＲＯＭ６１３ａなどの記録媒体に記録することができる。このプログラムは、記録媒体からＲＡＭその他の記録媒体に送られ、記録される。なお、プログラムはハードディスク、ＲＯＭ、ＲＡＭ、メモリカードなどの記録媒体に記録してユーザに提供するようにしてもよい。また、インターネットなどのネットワークを介して外部のサイトなどによりそのようなプログラムをコンピュータなどの装置にダウンロードして実行させるようにしてもよい。
【００１９】
図２は、図１のディスプレイ６０５に表示されるファイルアイコンの表示画面を示す図である。
【００２０】
図を参照して、表示画面には複数のファイル（たとえばドキュメントファイル）に対応するファイルアイコン１０１ａ〜１０１ｅが表示されている。
【００２１】
ユーザは所望のファイルアイコンをマウスなどの入力装置６０９で指示し、選択することでそれに対応するファイルを開いたり、削除したり、移動させたりすることができる。
【００２２】
なお、ファイルアイコンの表示方法としては第１のモードと第２のモードとがあり、ユーザは任意にそれらを選択することで表示方法を変更させることが可能である。
【００２３】
図３は、第１のモードにおいて表示されるファイルアイコンの１つ（ここではファイルアイコン１０１ａであるものとする）の詳細を示す図である。
【００２４】
このモードにおいては、ファイルアイコンはサムネイル画像（ファイルの内容の少なくとも一部を縮小した画像、またはレイアウトを示す画像）として表示される。なお、ファイルアイコンとしてサムネイル画像でなく、ファイルの種類（ドキュメントファイルであるか、画像ファイルであるかなど）を示す予め決められた図形を表示するようにしてもよい。
【００２５】
図４は、第２のモードにおいて表示されるファイルアイコンの１つ（ここでもファイルアイコン１０１ａであるものとする）の詳細を示す図である。
【００２６】
このモードにおいては、サムネイル画像と併せてそのファイルの内容の概略を示す属性アイコンＩ１〜Ｉ５が表示される。ここでは属性アイコンは、５つ表示されている。属性アイコンは、そのファイルから抽出された領域毎に、その属性に応じて表示されるアイコンである。属性アイコンＩ１〜Ｉ５は、以下のように呼ばれる。
【００２７】
Ｉ１：写真アイコン
Ｉ２：図形アイコン
Ｉ３：タイトルアイコン
Ｉ４：ＵＲＬ（ｕｎｉｆｏｒｍ　ｒｅｓｏｕｒｃｅ　ｌｏｃａｔｏｒｓ）アイコン
Ｉ５：ｅ−ｍａｉｌアイコン
属性アイコンとして何が表示されるかは、当該ファイルに含まれる各種領域を解析することにより決定される。ファイル（たとえばドキュメント）内に写真を含む領域（または写真画像）が存在する場合にのみ、写真アイコンＩ１は表示される。ファイル内に図形を含む領域（または図形）が存在する場合にのみ図形アイコンＩ２は表示される。ファイル内にタイトルを含む領域（またはタイトル）が存在する場合にのみタイトルアイコンＩ３は表示される。ファイル内にＵＲＬを含む領域（またはＵＲＬ）が存在する場合にのみＵＲＬアイコンＩ４は表示される。ファイル内にｅ−ｍａｉｌアドレスを含む領域（またはｅ−ｍａｉｌアドレス）が存在する場合にのみｅ−ｍａｉｌアイコンＩ５は表示される。
【００２８】
このように、ファイルに含まれる領域（またはデータ）に従って属性アイコンは表示されるため、ユーザは属性アイコンとして何が表示されているかを一見するだけで、ファイル内に何が含まれているかを把握することが可能となる。
【００２９】
図５は、図４の状態から写真アイコンＩ１をユーザがマウスなどの入力装置６０９で選択したときの表示を示す図である。図に示されるように、この場合ファイル中の写真領域のサムネイルが新たに元のサムネイルに重ねられて表示される。
【００３０】
図６は、図４の状態から図形アイコンＩ２をユーザがマウスなどの入力装置６０９で選択したときの表示を示す図である。図に示されるように、この場合ファイル中の図形領域のサムネイルが新たに元のサムネイルに重ねられて表示される。
【００３１】
図７は、図４の状態からタイトルアイコンＩ３をユーザがマウスなどの入力装置６０９で選択したときの表示を示す図である。図に示されるように、この場合ファイル中のタイトルなど特徴的な文字領域が抽出され、それがサムネイルとして新たに元のサムネイルに重ねられて表示される。
【００３２】
図８は、図４の状態からＵＲＬアイコンＩ４をユーザがマウスなどの入力装置６０９で選択したときの表示を示す図である。図に示されるように、この場合ファイル中のＵＲＬ情報が抽出され、ＵＲＬ情報がまとめられたサムネイルが元のサムネイルに重ねられて表示される。
【００３３】
図９は、図４の状態からｅ−ｍａｉｌアイコンＩ５をユーザがマウスなどの入力装置６０９で選択したときの表示を示す図である。図に示されるように、この場合ファイル中のｅ−ｍａｉｌアドレスが抽出され、ｅ−ｍａｉｌアドレスがまとめられたサムネイルが元のサムネイルに重ねられて表示される。
【００３４】
なお、このように属性アイコンが選択されたときに表示されるサムネイルは、元々表示されていたサムネイルよりも詳しい情報を表示するものであるため、これらを総称して「詳細サムネイル」とも呼ぶ。
【００３５】
なお、図４には示されていないが、属性アイコンの他の種類として以下のものがある。
【００３６】
脚注アイコン　　　　　　：ドキュメント中に脚注欄が含まれることを示す。
ウォーターマークアイコン：ドキュメント背景にウォーターマークが含まれることを示す。
【００３７】
エクスパイアアイコン　　：画像などのファイルにｅｘｐｉｒｅ（残り期限）が設定されている場合に、残り日数を表示する。
【００３８】
このようにして、本実施の形態によるとファイル（ドキュメントなど）から自動的に領域が抽出され、領域毎に特徴が検索され、それに応じた属性アイコンがサムネイルに併せて表示される。これにより、ユーザはサムネイルで示されるファイル中に何が含まれているかを属性アイコンを見ることによってすぐに理解することが可能となる。
【００３９】
なお、属性アイコンを選択した際に表示される詳細サムネイルの表示サイズを、その領域の重要さを示す数値（以下、「特徴量」という。）の大きさによって変化させるようにしてもよい。特徴量（ここでは変数ｆｅａｔｕｒｅとする）の算出の具体例として、以下の式（１）が用いられる。
【００４０】
ｆｅａｔｕｒｅ＝Ｆ（ｓｉｚｅ，ｄｉｓｔａｎｃｅ，ｆｒｅｑ）　　…（１）
ここに、各記号、変数は以下のものを示す。
【００４１】
Ｆ　　　　　　　：ｆｅａｔｕｒｅ算出関数
ｓｉｚｅ　　　　：領域のサイズ（縦および横など）
ｄｉｓｔａｎｃｅ：紙面中央位置から、領域の中心位置までの距離
ｆｒｅｑ　　　　：頻度（ドキュメント中に含まれている数であり、主にＵＲＬやｅ−ｍａｉｌに使用される）
特徴量ｆｅａｔｕｒｅは、値が大きければ大きいほど、その領域の重要度が高いことを示す。ｓｉｚｅのパラメータは、領域の大きさを示す。領域が大きければ大きいほど紙面中に占める割合が大きくなり、ドキュメントの中で重要なデータであると考えられる。したがって、ｓｉｚｅが大きくなれば特徴量の値が大きくなるように、関数Ｆは作成される。
【００４２】
ｄｉｓｔａｎｃｅはドキュメントの１枚の紙面の中心から領域の中心までの距離である。主にドキュメントは中心部（目につきやすい箇所など）に重要なものを配置する傾向にある。逆に、紙面上の上端や下端にはあまり重要でないデータ（ヘッダやフッタに使用される画像など）が配置される。そのため、ｄｉｓｔａｎｃｅが小さければｆｅａｔｕｒｅの値は大きくなるように関数Ｆは作成される。
【００４３】
ｆｒｅｑは主にＵＲＬやｅ−ｍａｉｌを抽出する際に使用される。繰返しドキュメント中に存在するものは目にする頻度が多いし、そのドキュメントを作成した会社のＵＲＬなどである可能性が高いため、ｆｒｅｑが大きいほど特徴量は大きくなるように関数Ｆは作成される。
【００４４】
より具体的な特徴量の算出式として以下の式（２）が考えられる。
ｆｅａｔｕｒｅ＝（ｓｉｚｅ（ｘ）×ｓｉｚｅ（ｙ）／ｔｈ１＋ｔｈ２／ｄｉｓｔａｎｃｅ）＊ｆｒｅｑ　　　　　　　　　　　　　　　　　　　　…（２）
ここに、ｓｉｚｅ（ｘ）は領域のｘ方向のサイズを示し、ｓｉｚｅ（ｙ）は領域のｙ方向のサイズを示す。なお、ｔｈ１およびｔｈ２はそれぞれ所定の係数を示す。この式によると、ｓｉｚｅ、またはｆｒｅｑの値が大きくなるほどｆｅａｔｕｒｅの値は大きくなり、ｄｉｓｔａｎｃｅの値が小さくなるほどｆｅａｔｕｒｅの値は小さくなる。なお、写真や図形領域においてはｆｒｅｑの値はほぼ「１」となるため、実質的に領域の大きさと中心からの距離とで特徴量は決定される。
【００４５】
また、属性アイコンに対応する領域が複数ある場合（たとえば、１つのファイル中に写真領域が複数ある場合など）には、属性アイコンが選択される毎に、表示される詳細サムネイルが切換えられるようにしてもよい。この切換の順番は、特徴量の大きさに従うようにしてもよい。
【００４６】
このようにして本実施の形態によると、ユーザが属性アイコンを指定することによってそのアイコンに応じた領域のより詳細なサムネイルを元のサムネイルの前面に表示することができる。これにより、小スペースでより詳細なサムネイルを表示できるという効果がある。
【００４７】
また、サムネイルを表示するサイズを特徴量の大きさに応じて変更すると、表示されている領域の重要度を視覚的に知らせることが可能となり、ユーザはサムネイルからのみで必要な情報に容易にアクセスすることができる。
【００４８】
なお、各領域の特徴量に応じて属性アイコンの表示順をソートするようにしてもよい。このように装置を構成すると、ユーザは属性アイコンの表示順を見ることによって、そのファイルにおいて何が最も重要であるかを判断することができる。
【００４９】
すなわち、たとえばファイルに含まれる写真領域の特徴量（複数あるときにはそれらの合計）が図形領域の特徴量（複数あるときにはそれらの合計）よりも小さいときには、図４の写真アイコンＩ１と図形アイコンＩ２の表示順序を入替え、特徴量の大きいものの順に並べるのである。これによると、上から順に特徴量に従って属性アイコンが並ぶため、ユーザは当該ファイル中の重要な領域を知ることができる。
【００５０】
また、ファイル（ドキュメント）に複数のページが存在する場合、特徴量の最も大きな領域が含まれるページのサムネイルを図３、図４に示されるファイルアイコンとして表示するようにしてもよい。
【００５１】
また、サムネイルの背景にはファイル中の最も使用頻度の高い色、または特徴量が高い領域の色を使用するようにしてもよい。
【００５２】
さらに、ファイルアイコンのそばに補足情報エリアとして、詳細サムネイルが表示されているページに関する情報（ページ番号など）を表示するようにしてもよい。
【００５３】
図１０は、ファイル（ドキュメント）の内容が複数ページにわたる場合のファイルアイコン１０１ａの表示例を示す図である。
【００５４】
図を参照して、ファイルの内容が複数ページにわたる場合、ファイルアイコンの近傍にスクロール操作表示エリア１０５が表示される。この部分をユーザが操作することによりサムネイルとして表示されるページを切換えることができる。また、現在表示されているサムネイルに応じて、表示される属性アイコンは更新される。より詳しくは、属性アイコンは現在表示されているサムネイルに対するものだけが表示される。
【００５５】
すなわち、図１０（Ａ）に示されるようにサムネイルが表示されている箇所のドキュメントなどのイメージが解析され、それに応じた属性アイコンが左部分に表示される。そして、（Ｂ）に示されるように、スクロール操作表示エリア１０５が操作されることによりサムネイルとして表示される箇所が変更されれば、それに応じてサムネイルとして表示されている箇所のドキュメントイメージが解析され、それに応じた属性アイコンが表示される。なお、属性アイコンとしては、ファイル全ての領域に対するものを常に表示するようにしてもよい。
【００５６】
図１１および１２は、図１のファイルアイコン表示装置の第２のモード（属性アイコンを表示するモード）で実行されるプログラムの処理を示すフローチャートである。
【００５７】
図を参照して、ステップＳ１０１でスキャナなどで得られた画像ファイルやドキュメントファイルが入力される。
【００５８】
ステップＳ１０３およびＳ１０５で、入力されたファイル内の画像領域（写真を含む領域）の認識と抽出が行なわれる。そして、ステップＳ１０７で抽出された領域のナンバリングが行なわれる。ここで領域の総数をｉｎｕｍとすると、領域は、領域（０）〜領域（ｉｎｕｍ）とナンバリングされるものとする。
【００５９】
ステップＳ１０９で、処理の対象となっている領域のナンバーを示す変数ｉに“０”を代入する。
【００６０】
ステップＳ１１１で、領域（ｉ）の特徴量が上述した式に基いて算出される。同時に、ステップＳ１１３で領域（ｉ）の詳細サムネイルが作成される。算出された特徴量と作成されたサムネイル画像は、ＲＡＭ６１７内の画像サムネイルデータベース６１７ａに格納される。
【００６１】
ステップＳ１１５で変数ｉが画像領域の総数ｉｎｕｍ以上となったかが判定され、ＮＯであればステップＳ１６１で変数ｉに“１”を加え、ステップＳ１１１へ戻る。
【００６２】
ステップＳ１１５でＹＥＳであれば、画像領域の場合と同様に、ステップＳ１１７でファイル中の文字領域（タイトル、ＵＲＬ、ｅ−ｍａｉｌアドレス、脚注などの文字を含む領域）の認識が行なわれる。ステップＳ１１９で、文字領域の抽出が行なわれ、ステップＳ１２１で抽出された文字領域に対してナンバリングが行なわれる。
【００６３】
ステップＳ１２３で、処理の対象となっている文字領域のナンバーを示す変数ｃに“０”を代入する。
【００６４】
ステップＳ１２５で、領域（ｃ）の特徴量の算出が行なわれ、ステップＳ１２７で領域（ｃ）のタイトル、ＵＲＬ、ｅ−ｍａｉｌ情報などの抽出が行なわれる。
【００６５】
ステップＳ１２９で領域（ｃ）の詳細サムネイルの作成が行なわれる。算出された特徴量と作成されたサムネイル画像などは、ＲＡＭ６１７内の文字サムネイルデータベース６１７ｂに格納される。
【００６６】
ステップＳ１３１で変数ｃが文字領域の総数を示す変数ｃｎｕｍ以上となったかが判定され、ＮＯであればステップＳ１６３で変数ｃに“１”を加え、ステップＳ１２５へ戻る。
【００６７】
ステップＳ１３１でＹＥＳであれば、ステップＳ１３３でファイル中の図形領域の認識が行なわれ、ステップＳ１３５で図形領域の抽出が行なわれる。
【００６８】
ステップＳ１３７で領域のナンバリングが行なわれ、ステップＳ１３９で処理の対象となっている図形領域のナンバーを示す変数ｆに“０”を代入する。
【００６９】
ステップＳ１４１で領域（ｆ）の特徴量の算出が行なわれ、ステップＳ１４３で領域（ｆ）の詳細サムネイルの作成が行なわれる。
【００７０】
算出された特徴量と作成されたサムネイルとは、ＲＡＭ６１７内の図形サムネイルデータベース６１７ｃに記録される。
【００７１】
ステップＳ１４５で、変数ｆが図形領域の総数を示す変数ｆｎｕｍ以上となったかが判定され、ＮＯであればステップＳ１６５で変数ｆに“１”を加え、ステップＳ１４１へ戻る。
【００７２】
ステップＳ１４５でＹＥＳであれば、ステップＳ１４７でスクロールが行なわれたときに属性アイコンを切換えるための情報である、各領域のレイアウト情報を保持する。
【００７３】
ステップＳ１４９で、図３に示されるファイル全体のサムネイル画像（第１のモードにおけるファイルアイコンの画像）を作成する。
【００７４】
ステップＳ１５１で、これまでの処理で認識された領域に基づいて、属性アイコンがＲＡＭ６１７内のアイコンデータベース６１７ｄから抽出される。
【００７５】
ステップＳ１５３で属性アイコンの表示順序が特徴量、ファイル内の領域のレイアウト、または予め決められた順序に基いてソートされる。
【００７６】
ステップＳ１５５で、サムネイルと属性アイコンの表示のレイアウトの設定が行なわれ、ステップＳ１５７で、最終的に画面に図４に示されるようなファイルアイコンの表示が行なわれる。
【００７７】
図１３は、ユーザからの指示に基いてファイルアイコンの表示の更新を行なう処理を示すフローチャートである。このフローチャートも図１１および１２のフローチャートと同様に、ファイルアイコン表示装置に格納されたプログラムにより実行される。
【００７８】
図を参照して、ユーザからの指示Ｉが入力装置６０９などを介して入力されると、ステップＳ２０１でその指示がファイルアイコンのサムネイル画像のスクロールの指示であるかが判定される。ＮＯであれば、ステップＳ２０３で、入力装置６０９によって属性アイコンの選択がなされたかが判定される。ＹＥＳであれば、ステップＳ２０５で詳細サムネイルが表示されているかが判定され、ＹＥＳであればステップＳ２０７でその詳細サムネイルを非表示とする。
【００７９】
ステップＳ２０７での処理の後、またはステップＳ２０５でＮＯであれば、ステップＳ２０９で選択された属性アイコンの種類を取得する。
【００８０】
ステップＳ２１１でその属性アイコンがこれまでに選択された回数（ｓｅｌｅｃｔ）をアイコンデータベース６１７ｄから取得する。これは、属性アイコンに対する領域が複数ある場合に、その属性アイコンが選択されるごとに詳細サムネイルを切替えるためのものである。
【００８１】
すなわち、図１４に示されるように、各ファイルアイコンごとに、写真アイコン、図形アイコン、タイトルアイコン、ＵＲＬアイコン、ｅ−ｍａｉｌアイコンなどが何回選択されたかが記録される。これに基づいて、どの詳細サムネイルを表示するかが決定される。
【００８２】
ステップＳ２１３で、属性アイコンの選択回数が１増加され、アイコンデータベース６１７ｄに再度記録される。
【００８３】
ステップＳ２１５で、選択された属性アイコンの種類、およびこれまでのその属性アイコンの選択回数に基いて、データベース６１７ａ，６１７ｂ，６１７ｃから表示すべき詳細サムネイルの検索が行なわれ、ステップＳ２１７で詳細サムネイルの取得が行なわれる。ステップＳ２１９で、取得された詳細サムネイルの表示が行なわれる。
【００８４】
また、ステップＳ２０１でＹＥＳであれば、ステップＳ２２１でスクロール量の検出が行なわれ、ステップＳ２２３でファイル上のサムネイル表示エリアの抽出が行なわれる。ステップＳ２２５で抽出されたエリアに基づいたサムネイル画像の作成が行なわれ、ステップＳ２２７で表示エリア内の画像領域などの抽出が行なわれる。
【００８５】
ステップＳ２２９で、抽出された領域に基づいて属性アイコンの抽出が行なわれ、ステップＳ２３１で抽出された属性アイコンに基いて属性アイコンの表示の更新が行なわれる。
【００８６】
また、ステップＳ２０３でＮＯであれば、ステップＳ２４１でその他の処理が行なわれる。
【００８７】
なお、上述したファイルアイコン表示装置はパーソナルコンピュータなどのコンピュータ装置で実現するようにしてもよいし、スキャナ、複写機、ファクシミリ装置およびそれらの複合機であるＭＦＰなどにより実現するようにしてもよい。
【００８８】
また、発明の他の構成例として以下のようなファイルアイコンの表示装置および方法が考えられる。
【００８９】
（１）　対象ファイルから属性が異なる領域を別々に抽出する抽出手段と、
前記抽出手段で抽出された領域毎に、それぞれの属性に応じた属性アイコンを選択する選択手段と、
前記対象ファイルのアイコンと共に、前記選択手段で選択された属性アイコンを併せて表示する表示手段とを備えた、ファイルアイコン表示装置。
【００９０】
（２）　対象ファイルから属性が異なる領域を別々に抽出する抽出ステップと、
前記抽出ステップで抽出された領域毎に、それぞれの属性に応じた属性アイコンを選択する選択ステップと、
前記対象ファイルのアイコンと共に、前記選択ステップで選択された属性アイコンを併せて表示する表示ステップとを備えた、ファイルアイコンの表示方法。
【００９１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態の１つにおけるファイルアイコン表示装置の構成を示すブロック図である。
【図２】図１のディスプレイ６０５に表示されるファイルアイコン表示画面の構成を示す図である。
【図３】第１のモードにおいて表示されるファイルアイコンの１つの詳細を示す図である。
【図４】第２のモードにおいて表示されるファイルアイコンの１つの詳細を示す図である。
【図５】図４の状態から写真アイコンＩ１をユーザが入力装置６０９で選択したときの表示を示す図である。
【図６】図４の状態から図形アイコンＩ２をユーザが入力装置６０９で選択したときの表示を示す図である。
【図７】図４の状態からタイトルアイコンＩ３をユーザが入力装置６０９で選択したときの表示を示す図である。
【図８】図４の状態からＵＲＬアイコンＩ４をユーザが入力装置６０９で選択したときの表示を示す図である。
【図９】図４の状態からｅ−ｍａｉｌアイコンＩ５をユーザが入力装置６０９で選択したときの表示を示す図である。
【図１０】ファイルの内容が複数ページにわたる場合のファイルアイコン１０１ａの表示例を示す図である。
【図１１】ファイルアイコン表示装置で実行されるプログラムの処理を示すフローチャートである。
【図１２】図１１に続くフローチャートである。
【図１３】サムネイルの更新処理を示すフローチャートである。
【図１４】属性アイコンの選択回数の記録方法を示す図である。
【符号の説明】
１０１ａ〜１０１ｅ　ファイルアイコン、１０５　スクロール操作表示エリア、６０１　ＣＰＵ、６０５　ディスプレイ、６０９　入力装置、６１７　ＲＡＭ、６１７ａ　画像サムネイルデータベース、６１７ｂ　文字サムネイルデータベース、６１７ｃ　図形サムネイルデータベース、６１７ｄ　アイコンデータベース、Ｉ１　写真アイコン、Ｉ２　図形アイコン、Ｉ３　タイトルアイコン、Ｉ４
ＵＲＬアイコン、Ｉ５　ｅ−ｍａｉｌアイコン。
【図１】
2004054839.tif 000003
【図２】
2004054839.tif 000004
【図３】
2004054839.tif 000005
【図４】
2004054839.tif 000006
【図５】
2004054839.tif 000007
【図６】
2004054839.tif 000008
【図７】
2004054839.tif 000009
【図８】
2004054839.tif 000010
【図９】
2004054839.tif 000011
【図１０】
2004054839.tif 000012
【図１１】
2004054839.tif 000013
【図１２】
2004054839.tif 000014
【図１３】
2004054839.tif 000015
【図１４】
2004054839.tif 000016